(57)【要約】      （修正有）【課題】魚をおびき寄せるための発光手段を備えるルアーであって、発光体の着脱も容易なルアーを提供する。【解決手段】ルアー本体を前頭部本体１００と尾側の釣り針部２００とに２分割され、前頭部本体１００の内部に発光体７を着脱可能に挿入する中空の発光体挿設部２を形成することを特徴とした発光ルアーで、発光体には、発光浮を用いる。【選択図】図３
0003144156.tif 000002
【実用新案登録請求の範囲】
【請求項１】
ルアー本体を前頭部本体と尾側の釣り針部とに２分割され、前頭部本体の内部に発光体を着脱可能に挿入する中空の発光体挿設部を形成することを特徴とする発光ルアー。
【請求項２】
前頭部本体と尾側の釣り針部は、螺子込み螺接できることを特徴とする請求項１の発光ルアー。
【請求項３】
発光体には、市販されている株式会社ルミカ製の発光浮（商品名：ケミホタル）を用いることを特徴とする請求項１及び請求項２の発光ルアー。
【考案の詳細な説明】
【技術分野】
【０００１】  本考案は、魚釣用の疑似餌であるルアーに関するもので、特に内部に発光体を挿入する機能を備えた発光ルアーに関するものである。
【背景技術】
【０００２】  従来から、魚釣の際に、集魚効果を高めるための手段として、疑似餌であるルアーに発光機能を持たせたものが種々提案されている。例えば、ルアー（疑似餌）にドリル等で穴をあけ、その大きさにあわせて集魚用化学発光体を内蔵する光るルアーや、また、発光ダイオードを具備した発光手段と、発光手段に電力を供給する電池とを内部に有するもの（特許文献１）などがあった。【０００３】  そこで本考案は、鋭意研究の結果、環境に悪影響を与えないように、従来市販されているルアー本体に中空部を形成するとともに、この中空部に、市販の発光体を着脱可能に挿設することにより、集魚効果を向上することができ、発光体の交換が容易にできる発光ルアーを開発するに至ったのである。
【特許文献１】  特開２００４−３５０６８４
【考案の開示】
【考案が解決しようとする課題】
【０００６】  このため本考案は、発光体７を着脱可能に挿設可能に形成された前頭部本体１００と、尾側の釣り針部２００との２つに分割されたことを最も主要な特徴とする。【０００７】  発光体７には、市販されている株式会社ルミカ製の発光浮（商品名：ケミホタル）を用いることを特徴とする。
【課題を解決するための手段】
【０００８】  このため本考案では、ルアー本体を前頭部本体１００と尾部２００の２つに分割し、前頭部本体１００の内部に発光体７を着脱可能に挿入する中空の発光体挿設部２を形成する。【０００９】  前頭部本体１００の内部に形成された中空の発光体挿設部２に発光体７を挿入する。
発光体７を挿入する場合、株式会社ルミカ製の発光浮（商品名：ケミホタル）を使用する場合は、発光体７を屈曲して挿入する。【００１０】  前頭部本体１００と尾部２００は、尾部の螺接部３と前頭部本体の螺接部５によって螺接する。【００１１】  尾部の螺接部３と前頭部本体の螺接部５の間には、防水のための防水リング１０を嵌入して、尾部の螺接部３と前頭部本体の螺接部５を締める。【００１２】  本考案のルアー本体３００は、発光体７が外からぼんやりと透過する程度の材質とする。
【考案の効果】
【００１３】  本考案に係る発光ルアーによれば、集魚効果が向上し、さらに、発光体７の交換が容易であるという優れた効果を有する。
【考案を実施する為の最良の形態】
【００１４】  図１は、本考案に係る発光ルアーの全体図の側面図である。
【００１５】  図２は、本考案に係る発光ルアーの全体図の平面図である。
【００１６】  図３は、本考案に係る発光ルアーの前頭部本体の断面図であるが、本断面図は、図２のＣ−Ｃ’の断面の前頭部本体部である。
【００１７】  図４は、本考案に係る発光ルアーの尾部の詳細図である。
【００１８】  図５は、本考案に係る発光ルアーの尾部詳細の断面図であるが、本断面図は、図４のＤ−Ｄ’の断面の尾部である。
【００１９】  図６は、尾部の断面図であるが、本断面図は、図２のＢ−Ｂ’の断面である。
【００２０】  図７は、前頭部本体の断面図であるが、本断面図は、図１のＡ−Ａ’の断面である。
【００２１】  図３に示すように、前頭部本体１００の内部には、発光体７を挿設する発光体挿設体２を中空で形成し、その前方には、発光体７の移動静止のための押圧スプリング８を備える。
【００２２】  また、図３に示すように、前頭部本体１００の後部には尾部２００と螺接するための螺接部３（凹）を形成する。
【００２３】  さらに、図４，図５に示すように、尾部２００には、前頭部本体１００と螺接するための螺接部５（凸）を形成する。
【００２４】  なお、図６に示す発光体押圧部６は、発光体の移動を静止するために形成される。
【実施例１】
【００２５】  発光体７には、市販されている株式会社ルミカ製の発光浮（商品名：ケミホタル）を用いる。この発光体は、プラスチック製の外筒の内部にガラス製の内筒が備えられる二重構造であり、外筒には蛍光物質が封入され、内筒には活性剤が封入されている。この発光体７を屈曲させると、ガラス製の内筒が割れて内筒内に封入されていた活性剤が、外筒内の蛍光物質と混合され、化学反応を起こすことにより、発光体７自ら発光する。この際、外筒はプラスチック製なので割れることはない。
【実施例２】
【００２６】  また、発光体挿設体２の径は、市販されている株式会社ルミカ製の発光浮（商品名：ケミホタル）には、数種の商品が製造されているので、その製品の径より少し大きめの径にすればよい。
【実施例３】
【００２７】  さらに、発光体挿設体２の長さは、市販されている株式会社ルミカ製の発光浮（商品名：ケミホタル）には、数種の商品が製造されているので、その製品の長さより多少長くしても、本考案の発光体挿設体２には、発光体７の移動静止のための押圧スプリング８があるため、発光体の移動はぼうしできる。
【実施例４】
【００２８】  尚、挿着された発光体７は、人指で容易に引抜くことができる。このように発光体７がルアー本体に着脱自在であるので、発光体７の発光量が低下した際には、容易に新しい発光体７と交換できる。
【実施例５】
【００２９】  ルアー本体３００を交換することなく、発光体７だけを交換すればよいので経済的である。
【図面の簡単な説明】
【００３０】
【図１】  本考案の発光ルアーの側面図
【図２】  本考案の発光ルアーの平面図
【図３】  Ｃ−Ｃ’断面図
【図４】  本考案の尾側の釣り針部の詳細図
【図５】  Ｄ−Ｄ’断面図
【図６】  Ｂ−Ｂ’断面図
【図７】  Ａ−Ａ’断面図
【符号の説明】
【００３１】  １．本体部の外装体
２．発光体挿設体
３．尾側の釣り針部螺接部（凹）
４．尾側の釣り針部の外装体
５．本体部との螺接部（凸）
６．発光体押圧部
７．発光体
８．押圧スプリング
９．釣り針
１０．防水リング
３００．本考案の発光ルアー
２００．本考案の前頭部本体
１００．本考案の尾側の釣り針部
【図１】
0003144156.tif 000003
【図２】
0003144156.tif 000004
【図３】
0003144156.tif 000005
【図４】
0003144156.tif 000006
【図５】
0003144156.tif 000007
【図６】
0003144156.tif 000008
【図７】
0003144156.tif 000009
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
ルアー本体を前頭部本体と尾側の釣り針部とに２分割され、前頭部本体の内部に発光体を着脱可能に挿入する中空の発光体挿設部を形成することを特徴とする発光ルアー。
【請求項２】
前頭部本体と尾側の釣り針部は、螺子込み螺接できることを特徴とする請求項１の発光ルアー。
【請求項３】
発光体には、発光浮を用いることを特徴とする請求項１及び請求項２の発光ルアー。